(57)【要約】【課題】プレイリストに基づいたファイルの再生において、ファイル間が不連続な接続となり、異音等が発生することを抑止することができる。【解決手段】再生する各ファイルのファイル名に対応して少なくとも無音時間が設定されたプレイリスト１１を作成し、そのプレイリスト１１に基づいてタイマー機能付きファイル読み出し制御１２ａが光ディスクからオーディオファイルを読み出し、その出力をデコーダ１３、ボリューム調整機構１４を介してスピーカ１５で再生すると共に、タイマー機能付きファイル読み出し制御１２ａによって前記無音時間の間、前記スピーカ１５から音が発せられないようにする。【選択図】  図１
2005018874.tif 000002
【特許請求の範囲】
【請求項１】
光ディスクに記録された複数のファイルの中から再生したい各ファイルのファイル名と、このファイル名に対応して設定された無音時間が記憶されるプレイリストと、
タイマー機能を内蔵し、前記プレイリストに基づいて前記光ディスクから所定のファイルの読み出しを制御するコントローラ部と、
前記コントローラ部によって読み出されたデータの復号を行うデコーダと、
前記デコーダから出力されたデータを再生する再生手段とを具備し、
前記コントローラ部は、前記ファイルの読み出し後に、前記プレイリストの前記無音時間を前記タイマー機能によって計数し、その計数した無音時間は出力がない状態とすることを特徴とする光ディスクの再生装置。
【請求項２】
光ディスクに記録された複数のファイルの中から再生したい各ファイルのファイル名と、このファイル名に対応して設定された無音時間が記憶されるプレイリストと、
タイマー機能を内蔵し、前記プレイリストに基づいて前記光ディスクから所定のファイルの読み出しを制御するコントローラ部と、
前記コントローラ部によって読み出されたデータの復号を行うデコーダと、
前記デコーダから出力されたデータを再生する再生手段とを具備し、
前記コントローラ部は、前記プレイリストの前記無音時間に基づいて前記デコーダを制御し、前記デコーダから出力されるデータに前記無音時間を付加して出力することを特徴とする光ディスクの再生装置。
【請求項３】
前記プレイリストは前記ファイル名に対応させて前記ファイルの読み取り開始時間及び終了期間を更に記憶され、
前記コントローラ部は前記プレイリストに基づいて前記ファイルの前記開始時間から前記終了時間のデータを読み出すことを特徴とする請求項１又は請求項２に記載の光ディスクの再生装置。
【請求項４】
光ディスクに記録された複数のファイルの中から再生したい各ファイルのファイル名、このファイル名に対応してフェイドイン時間、及びフェイドアウト時間が記憶されるプレイリストと、
前記プレイリストの前記ファイル名に基づいて前記光ディスクから所定のファイルの読み出しを制御する読み出し制御手段と、
前記読み出し制御手段によって読み出されたデータの復号を行うデコーダと、
前記プレイリストの前記フェイドイン時間、及びフェイドアウト時間に基づいて前記デコーダから出力される前記データの出力ボリュームを調整してフェイドイン再生及びフェイドアウト再生を行うボリューム調整手段と、
前記ボリューム調整手段から出力されたデータを再生する再生手段と
を具備したことを特徴とする光ディスクの再生装置。
【請求項５】
前記ボリューム調整手段は、前記フェイドイン時間に基づいて出力ボリュームを徐々に大きくする前記フェイドイン再生を行い、前記フェイドアウト時間に基づいて出力ボリュームを徐々に小さくする前記フェイドアウト再生を行うことを特徴とする請求項４に記載の光ディスクの再生装置。
【請求項６】
前記プレイリストに前記ファイル名に対応させて前記ファイルの読み取り開始時間及び終了期間を更に記憶し、
前記読み出し制御手段は、前記プレイリストに基づいて内蔵するタイマー機能を起動して、前記ファイルの前記開始時間から前記終了時間のデータを読み出すことを特徴とする請求項４に記載の光ディスクの再生装置。
【請求項７】
前記プレイリストは前記ファイル間の無音時間を更に記憶され、
前記読み出し制御手段は、前記ファイル読み出し後に前記プレイリストの前記無音時間を前記タイマー機能によって計数し、その計数した無音時間は出力がない状態とすることを特徴とする請求項６に記載の光ディスクの再生装置。
【請求項８】
前記プレイリストに前記ファイル間の無音時間を更に記憶し、
前記プレイリストの前記無音時間に基づいて前記デコーダを制御し、前記デコーダから出力されるデータに前記無音時間を付加して出力するデコーダ制御手段をさらに具備したことを特徴とする請求項４に記載の光ディスクの再生装置。
【請求項９】
前記光ディスクのファイルは、オーディオファイル又は映像ファイルであることを特徴とする請求項１乃至請求項８のいずれか１項に記載の光ディスクの再生装置。
【請求項１０】
光ディスクに記録された複数のマルチメディアファイルの中から再生したい各マルチメディアファイルのファイル名、このファイル名に対応してフェイドイン時間、及びフェイドアウト時間が記憶されるプレイリストと、
前記プレイリストの前記ファイル名に基づいて前記光ディスクから所定のオーディオデータの読み出しを制御するオーディオ読み出し制御手段と、
前記オーディオ読み出し制御手段によって読み出されたデータの復号を行うオーディオデコーダと、
前記プレイリストの前記ファイル名に基づいて前記光ディスクから所定の映像データの読み出しを制御する映像読み出し制御手段と、
前記映像読み出し制御手段によって読み出されたデータの復号を行う映像デコーダと、
前記プレイリストの前記フェイドイン時間、及びフェイドアウト時間に基づいて前記オーディオデータの出力ボリュームを調整してフェイドイン再生及びフェイドアウト再生を行うオーディオボリューム調整手段と、
前記プレイリストの前記フェイドイン時間、及びフェイドアウト時間に基づいて前記映像データの出力フェーダーを調整してフェイドイン再生及びフェイドアウト再生を行う映像フェーダー調整手段と、
前記オーディオボリューム調整手段から出力されたオーディオデータを再生するスピーカと、
前記映像フェーダー調整手段から出力された映像データを再生する表示手段と、
を具備したことを特徴とする光ディスクの再生装置。
【請求項１１】
光ディスクに記録された複数のマルチメディアファイルの中から再生したい各マルチメディアファイルのファイル名、このファイル名に対応して無音時間及び無画面時間が記憶されるプレイリストと、
前記プレイリストの前記ファイル名に基づいて前記光ディスクから所定のオーディオデータの読み出しを制御し、かつそのファイル読み出し後に前記プレイリストの前記無音時間は出力がない状態とするオーディオ読み出し制御手段と、
前記オーディオ読み出し制御手段によって読み出されたデータの復号を行うオーディオデコーダと、
前記プレイリストの前記ファイル名に基づいて前記光ディスクから所定の映像データの読み出しを制御し、かつそのファイル読み出し後に前記プレイリストの前記無画面時間は出力がない状態とする映像読み出し制御手段と、
前記映像読み出し制御手段によって読み出されたデータの復号を行う映像デコーダと、
前記オーディオデコーダから出力されたオーディオデータを再生するスピーカと、
前記映像デコーダから出力された映像データを再生する表示手段と、
を具備したことを特徴とする光ディスクの再生装置。
【請求項１２】
光ディスクに記録された複数のファイルの中から再生したい各ファイルのファイル名と、このファイル名に対応して設定された無音時間を記憶するプレイリストであって、このプレイリストの前記ファイル名に基づいて前記光ディスクから所定のファイルのデータを読み出すステップと、
前記プレイリストの前記無音時間に基づいて前記ファイルの読み出し後に前記無音時間を計数し、その計数した前記無音時間は出力がない状態とするステップと、
前記読み出されたデータの復号を行うステップと、
前記復号されたデータを再生して出力するステップと、
を具備することを特徴とする光ディスクの再生方法。
【請求項１３】
光ディスクに記録された複数のファイルの中から再生したい各ファイルのファイル名と、このファイル名に対応して設定された無音時間を記憶するプレイリストであって、このプレイリストの前記ファイル名に基づいて前記光ディスクから所定のファイルのデータを読み出すステップと、
前記読み出されたデータの復号を行うと共に、前記プレイリストの前記無音時間に基づいて前記復号されたデータに前記無音時間を付加するステップと、
前記復号され前記無音時間を付加されたデータを再生して出力するステップと、を具備することを特徴とする光ディスクの再生方法。
【請求項１４】
前記プレイリストに前記ファイル名に対応させて前記ファイルの読み取り開始時間及び終了期間を更に記憶し、
前記プレイリストの前記読み取り開始時間及び終了期間に基づいて前記ファイルの前記開始時間から前記終了期間のデータを読み出すことを特徴とする請求項１２または請求項１３に記載の光ディスクの再生方法。
【請求項１５】
光ディスクに記録された複数のファイルの中から再生したい各ファイルのファイル名と、このファイル名に対応してフェイドイン時間、フェイドアウト時間を記憶するプレイリストであって、このプレイリストの前記ファイル名に基づいて前記光ディスクから所定のファイルのデータを読み出すステップと、
前記読み出されたデータの復号を行うステップと、
前記プレイリストの前記フェイドイン時間、及びフェイドアウト時間に基づいて復号された前記データの出力ボリュームを調整してフェイドイン再生及びフェイドアウト再生を行うステップと、
を具備したことを特徴とする光ディスクの再生方法。
【請求項１６】
前記ボリューム調整は、前記フェイドイン時間に基づいて出力ボリュームを徐々に大きくする前記フェイドイン再生を行い、前記フェイドアウト時間に基づいて出力ボリュームを徐々に小さくする前記フェイドアウト再生を行うことを特徴とする請求項１５に記載の光ディスクの再生方法。
【請求項１７】
前記プレイリストに前記ファイル名に対応させて前記ファイルの読み取り開始時間及び終了期間を更に記憶し、
前記データの読み出し時に前記プレイリストの前記読み取り開始時間及び終了期間に基づいて前記ファイルの前記開始時間から前記終了時間のデータを読み出すことを特徴とする請求項１５に記載の光ディスクの再生方法。
【発明の詳細な説明】
【０００１】
【発明の属する技術分野】
本発明は、ＣＤ−Ｒ等の光ディスクの再生装置及びその再生方法に関する。
【０００２】
【従来の技術】
ＣＤ−Ｒ等に記録された圧縮オーディオ（ｍｐ３，ＡＡＣ，ＷＭＡ）を再生する際、再生するファイルの再生順序が記憶されたプレイリストを用いて、所望の順序で音楽を楽しむことができる。
【０００３】
図１０に、従来の光ディスクの再生装置を用いた再生システムを示す。ＣＤ−Ｒ等の光ディスク９０に記録された複数のオーディオファイルから所望のオーディオファイルを選択し、その選択したオーディオファイルの再生順序を再生装置に記憶させ、プレイリスト９１を作成する。図１１は、このプレイリスト９１の一例を示す。プレイリスト９１には、選択されたオーディオファイル名が再生順に記憶されている。図１０に示すように、ＣＤ−Ｒ等の光ディスク９０を再生する際、このプレイリスト９１の再生順序に基づいて、再生装置のコントローラ部９２の読み出し制御９２ａによって光ディスク９０からオーディオファイルの読み出しが行われる。そして、読み出されたオーディオファイルは、デコーダ９３で復号され、更に、ボリューム調整機構９４を介してスピーカ９５から再生される。
【０００４】
このプレイリスト９１には、図１１に示した選択されたオーディオファイルの再生順序に加えて、再生開始時間、所要再生時間を記録することにより、所望の再生順序で、所望の再生開始時間から所望の再生時間だけ再生を行うこともできる。
【０００５】
ＤＶＤ−Ｒ等に記録された圧縮映像（ｍｐｇ）を再生する際も同様に、ファイルの再生順序を記憶したプレイリストを用いて、所望の再生順序で映像を楽しむことができる。
【０００６】
また、曲番号と演奏時間情報とを含む情報を記録し、プログラム選択した曲の所要演奏時間を知ることができるようにし、かつ、この情報に基づいて希望曲に順次アクセスして再生することが知られている（例えば、特許文献１参照。）。
【０００７】
【特許文献１】
特開平８−２１２７６０号公報（第２頁，第７頁）
【０００８】
【発明が解決しようとする課題】
特許文献１に記載されたような技術では、選択されたオーディオファイルの再生順序を記録したプレイリストに基づいて再生を行う場合、オーディオファイルの再生が終了すると同時に、次のオーディオファイルの再生が開始されるため、ファイル間が不連続な接続となり、異音等が発生する可能性があるという問題があった。
【０００９】
また、選択されたオーディオファイルの再生順序に加えて、再生開始時間、所要再生時間を記録したプレイリストに基づいた再生を行った場合でも、オーディオファイルの途中で再生が終了し、終了すると同時に次のオーディオファイルの再生が開始されるため、オーディオファイル間が不連続な接続となり、異音等が発生する可能性があるという問題があった。また、オーディオファイルの再生が終了すると同時に次のオーディオファイルの再生が開始されるため、聴者または視聴者は、一つのオーディオファイルの再生を十分に楽しむことができない問題があった。
【００１０】
また、選択されたオーディオファイルの再生順序を記録したプレイリストに基づいて再生を行う場合、再生するオーディオファイル間のインターバルを任意に設定することができないという問題があった。
【００１１】
本発明は、上記した問題点を解決するためになされたもので、プレイリストに基づいたファイルの再生において、ファイル間が不連続な接続となり、異音等が発生することを抑止することができる光ディスクの再生装置及び再生方法を提供することを目的とする。
【００１２】
【課題を解決するための手段】
上記した目的を達成するため、本発明の光ディスクの再生装置の一態様は、光ディスクに記録された複数のファイルの中から再生したい各ファイルのファイル名と、このファイル名に対応して設定された無音時間が記憶されるプレイリストと、
タイマー機能を内蔵し、前記プレイリストに基づいて前記光ディスクから所定のファイルの読み出しを制御するコントローラ部と、
前記コントローラ部によって読み出されたデータの復号を行うデコーダと、
前記デコーダから出力されたデータを再生する再生手段とを具備し、
前記コントローラ部は、前記ファイルの読み出し後に、前記無音時間を前記タイマー機能によって計数し、その計数した前記無音時間は出力がない状態とすることを特徴としている。
【００１３】
上記した本発明の一実施の形態によれば、プレイリストに基づいたファイルの再生において、ファイル間が不連続な接続となり、異音等が発生することを抑止することができる。
【００１４】
【発明の実施の形態】
以下、図面を参照して、本発明の実施の形態について詳細に説明する。
（第１の実施の形態）
図１は、第１の実施の形態に係る光ディスクの再生装置を用いた再生システムを示す。ＣＤ−Ｒ等の光ディスク１０に記録された複数のオーディオファイルから所望のオーディオファイルを選択し、その選択したオーディオファイルの再生順序、及び無音時間を再生装置に記憶させてプレイリスト１１を作成する。このプレイリスト１１は、光ディスク１０に記憶してもよいし、再生装置の内部メモリに記憶してもよい。光ディスク１０に記憶した場合は、再生する際に光ディスク１０に記憶したプレイリストを再生装置の内部メモリに記憶して、再生を行ってもよい。
【００１５】
図２（ａ）及び図２（ｂ）に本実施の形態におけるプレイリスト１１の一例を示す。プレイリスト１１には、選択されたファイル名、及び無音時間が再生順に記憶されている。即ち、図２（ａ）では、ファイル名の後に無音時間が記憶されており、図２（ｂ）では、ファイル名の前に無音時間が記憶されている。例えば、図２（ａ）では、‘Ｓｏｎｇ１．ｍｐ３’をファイルの先頭から再生し、その再生を終了した後、３秒間の無音時間後に次の‘Ｓｏｎｇ３．ｍｐ３’をファイルの先頭から再生し、その再生を終了した後、２秒間の無音時間後に次のファイルの再生を行うことが示されている。また、図２（ｂ）では、５秒間の無音時間後に‘Ｓｏｎｇ１．ｍｐ３’をファイルの先頭から再生し、その再生を終了した後、３秒間の無音時間後に次の‘Ｓｏｎｇ３．ｍｐ３’をファイルの先頭から再生し、その再生を終了した後、２秒間の無音時間後に次のファイルの再生を行うことが示されている。
【００１６】
次に、図１及び図２を参照して、第１の実施の形態の動作を説明する。図２（ａ）のプレイリスト１１に基づいて、ＣＤ−Ｒ等の光ディスク１０を再生する際、再生装置のコントローラ部１２のタイマー機能付き読み出し制御１２ａによって、光ディスク１０から最初のオーディオファイル（例えば‘Ｓｏｎｇ１．ｍｐ３’を読み出す。ここで、タイマー機能付き読み出し制御１２ａは、プレイリスト１１に設定されている無音時間をカウントするため図示しないタイマー機能に３秒の無音時間を設定する。
【００１７】
一方、タイマー機能付き読み出し制御１２ａによって読み出された最初のオーディオファイル‘Ｓｏｎｇ１．ｍｐ３’の音楽データは、デコーダ１３によって復号され、更にボリューム調整機構１４を介してスピーカ１５から再生される。このファイル再生が終了すると、次に、読み出し制御１２ａは、タイマー機構に設定した３秒間を無音時間として出力がない状態を維持する。続いて、タイマー機能付き読み出し制御１２ａはプレイリスト１１に基づいて、光ディスク１０から次のオーディオファイル（例えば‘Ｓｏｎｇ３．ｍｐ３’）を読み出すと共に、図示しないタイマー機構を起動して２秒間の無音時間を設定する。読み出されたオーディオファイルの音楽データは、同様にデコーダ１３によって復号され、ボリューム調整機構１４を介して、スピーカから再生される。
【００１８】
同様に、このファイル再生が終了すると、続いて同様に、タイマー機能付き読み出し制御１２ａは、タイマー機能でカウントされる２秒間を無音時間として出力がない状態を維持する。このようにして、オーディオファイルの再生に際し、所望の再生順序で、且つ、オーディオファイル毎に所望の無音時間が挿入され可聴することができる。
【００１９】
したがって、本実施の形態では、オーディオファイル間に所定の無音時間が挿入されており、オーディオファイル間は不連続な接続とならないため、異音等が発生することを抑止することができる。聴者は、各ファイルの再生後に挿入されている無音時間により、その余韻を楽しむことができるため、一つのファイルの再生を十分に楽しむことができる。また、プレイリストは、所望の再生方法を設定したものを数多く用意することにより光ディスクを様々な再生条件で再生することができる。
【００２０】
次に、第１の実施の形態の変形例を、図３を用いて説明する。図３の再生システムでは、コントローラ部１２内にデコーダ１３の制御を行うデコーダ制御１２ｂが設けられている点が、図１と異なっている。この場合、ＣＤ−Ｒ等の光ディスク１０に記憶されているオーディオファイルの再生時にデコーダ制御１２ｂの制御に基づきデコーダ１３での復号処理時に無音制御が行われる。そして、タイマー機能付きのコントローラ部１２の読み出し制御１２ａによって光ディスク１０からオーディオファイルの読み出しが行われ、ボリューム調整機構１４を介してスピーカから再生される。また、タイマー機能でカウントされる無音時間だけ無音信号が出力されるよう、デコーダ１３を制御する。デコーダ１３では、デコーダ制御１２ｄによって無音制御が指令されており、オーディオファイルの復号処理後に無音信号に応答して出力のない状態を維持する。ここでは、タイマー機能は、読み出し制御１２ａ及びボリューム調整機構１４とで兼用した例を記載したが、読み出し制御１２ａ及びボリューム調整機構１４のそれぞれに設けることも可能である。
（第２の実施の形態）
次に、図４及び図５を参照して、本発明の第２の実施の形態に係る光ディスクの再生装置を用いた再生システムを説明する。
【００２１】
第１の実施の形態と同様に、ＣＤ−Ｒ等の光ディスク３０から所望のオーディオファイルを選択して、その選択したオーディオファイルの再生順序、再生開始時間、フェイドイン時間、再生終了時間、及びフェイドアウト時間を再生装置に記憶させてプレイリスト３１を作成する。
【００２２】
図５は、第２の実施の形態によって作成されたプレイリスト３１の一例を示す。プレイリスト３１には、選択されたファイル名、再生開始時間、フェイドイン（ＦＩ）時間、再生終了時間、フェイドアウト（ＦＯ）時間が記憶されている。例えば、図５の「Ｓｏｎｇ３．ｍｐ３  ０１：１５  ＦＩ＝５  ０３：２３  ＦＯ＝３」では、オーディオファイル‘Ｓｏｎｇ３．ｍｐ３’の先頭から‘１分１５秒’経過した後から再生を開始し、その開始時には徐々に音が大きくなるフェイドインＦＩ効果が５秒間行われる。また、オーディオファイル‘Ｓｏｎｇ３．ｍｐ３’の先頭から‘３分２３秒’経過すると再生が終了し、その終了時には徐々に音が小さくなるフェイドアウトＦＯ効果が３秒間行われる。
【００２３】
次の、「Ｓｏｎｇ５．ｍｐ３  ００：１５  ＦＩ＝２  ０４：１０  ＦＯ＝８」では、オーディオファイル‘Ｓｏｎｇ５．ｍｐ３’の先頭から‘０分３０秒’経過した後から再生を開始し、その開始時には徐々に音が大きくなるフェイドインＦＩ効果が２秒間行われる。また、オーディオファイル‘Ｓｏｎｇ５．ｍｐ３’の先頭から‘４分１０秒’経過すると再生が終了し、その終了時には徐々に音が小さくなるフェイドアウトＦＯ効果が８秒間行われる。なお、次のオーディオファイル‘Ｓｏｎｇ２．ｍｐ３’の再生開始時間‘Ａ’は、最初から最後までの全てを再生することを示している。
【００２４】
次に、第２の実施の形態の動作を説明する。図５に示したプレイリスト３１に基づいて、ＣＤ−Ｒ等の光ディスク３０を再生する際、再生装置のコントローラ部３２のタイマー機能付き読み出し制御３２ａによって、例えば、最初のオーディオファイル‘Ｓｏｎｇ３．ｍｐ３’の読み出しを開始する。ここで、タイマー機能付き読み出し制御３２ａは、図示していないタイマーを起動して読み出しの開始時間１分１５秒及び終了時間をカウントする。上記開始時間が経過するまでは、タイマー機能付き読み出し制御３２ａからデコーダ３３へ読み取り信号が出力されない。そして、上記開始時間経過後から終了時間である３分２３秒までタイマー機能付き読み出し制御３２ａによってオーディオファイル‘Ｓｏｎｇ３．ｍｐ３’から読み出された音楽データは、デコーダ３３で復号され、更にボリューム調整機構３４を介して、スピーカ３５から再生される。
【００２５】
この時、ボリューム調整機構３４では、上記プレイリスト３１に基づいてタイマー機能付きボリューム制御３２ｃから出力されるフェイドイン信号によって、再生を開始した１分１５秒から５秒間はフェイドイン効果（音が徐々に高くなる）処理された信号が出力され、その後は所定の設定レベルの信号が出力され、スピーカ３５で再生される。同様に停止動作においてもボリューム調整機構３４では、上記プレイリスト３１に基づいてボリューム制御３２ｃから出力されるフェイドアウト信号によって、終了前の３分２０秒から３秒間はフェイドアウト効果（音が徐々に低くなる）処理された信号が出力され、スピーカ３５で再生される。
【００２６】
次の、オーディオファイル‘Ｓｏｎｇ５．ｍｐ３’、‘Ｓｏｎｇ２．ｍｐ３’についても同様に処理されて再生されるが、その説明は省略する。ただし、オーディオファイル‘Ｓｏｎｇ２．ｍｐ３’では、開始時間及び終了時間の設定がないため、全て音楽データの再生が行われる。
【００２７】
このようにして、第２の実施の形態では、オーディオファイル間にフェイドイン時間とフェイドアウト時間を設定して、所望の再生順序で再生することができることからオーディオファイル間は不連続な接続とならないため、異音等が発生することを抑止することができる。聴者は、オーディオファイルの再生後に挿入されているフェイドアウト時間とフェイドイン時間で、その余韻を楽しむことができるため、一つのファイルの再生を十分に楽しむことができる。また、プレイリスト３１は、ファイル容量が小さく、所望の再生方法を記憶したプレイリストを数多く用意することができるため、オリジナルに作成した光ディスクを所望の様々な再生方法で再生することができる。
【００２８】
（第３の実施の形態）
次に、図６及び図７を参照して、本発明の第３の実施の形態に係る光ディスクの再生装置を用いた再生システムを説明する。
【００２９】
この第３の実施の形態では、オーディオファイルと映像ファイルが記録されたマルチメディア対応のＤＶＤ−Ｒ等の光ディスク５０が用いられる。そして、この光ディスクから所望のマルチメディアファイルを選択して、その選択されたマルチメディアファイルの再生順序、再生開始時間、フェイドイン時間、再生終了時間、フェイドアウト時間、及び無音／無画面時間を再生装置に記憶させプレイリスト５１を作成する。
【００３０】
図７は、第３の実施の形態によって作成されたプレイリスト５１の一例を示す。即ち、プレイリスト５１には、選択されたファイル名の後に、開始時間、フェイドイン（ＦＩ）時間、終了時間、フェイドアウト（ＦＯ）時間、及び無音／無画面時間が記憶されている。例えば、図７の「Ｍｏｖｉｅ３．ｍｐｇ  ０１：１５  ＦＩ＝５  ０３：２３  ＦＯ＝３  ２」’では、マルチメディアファイル‘Ｍｏｖｉｅ３．ｍｐｇ’の先頭から‘１分１５秒’経過した後から再生を開始し、その開始時には徐々に音が大きくなるとともに、画面が徐々に明るくなるフェイドインＦＩ効果が５秒間行われる。また、マルチメディアファイル‘Ｍｏｖｉｅ３．ｍｐｇ’の先頭から‘３分２３秒’経過すると再生が終了し、その終了時には徐々に音が小さくなるとともに、画面が徐々に暗くなるフェイドアウトＦＯ効果が３秒間行われる。更にその後、無音及び無画面時間が２秒間継続する。
【００３１】
次の「Ｍｏｖｉｅ５．ｍｐｇ  ００：３０  ＦＩ＝２  ０４：１０  ＦＯ＝８  ３」では、マルチメディアファイル‘Ｍｏｖｉｅ５．ｍｐｇ’の先頭から‘０分３０秒’後経過した後から再生を開始し、その開始時には徐々に音が高くなるとともに画面が徐々に明るくなるフェイドインＦＩ効果が２秒間行われる。また、マルチメディアファイル‘Ｍｏｖｉｅ５．ｍｐｇ’の先頭から‘４分１０秒’経過すると再生が終了し、その終了時には徐々に音が小さくなるとともに画面が徐々に暗くなるフェイドアウトＦＯ効果が８秒間行われる。その後、無音及び無画面時間が３秒間継続する。
【００３２】
次に、第３の実施の形態の動作について説明する。図７に示したプレイリスト５１に基づいて、ＤＶＤ−Ｒ等の光ディスク５０を再生する際、再生装置のコントローラ部５２のタイマー機能付きオーディオ読み出し制御５２ａ及びタイマー機能付き映像読み出し制御５２ｄによってオーディオデータと映像データの読み出し制御が行われる。また、タイマー機能付きオーディオボリューム制御５２ｃ及びタイマー機能付き映像フェーダー制御５２ｆによってボリューム調整機構５４のボリューム調整及びフェーダー調整機構５７の明るさ調整が行われる。ここで、映像データの明るさ調整については、「フェーダー調整」と呼んでいるが、オーディオデータのボリューム調整に相当するため、オーディオデータと合わせて、「ボリューム調整」とも呼ぶ。
【００３３】
例えば、プレイリスト５１に基づいてオーディオ読み出し制御５２ａ及び映像読み出し制御５２ｄは、光ディスクからマルチメディアファイル‘Ｍｏｖｉｅ３．ｍｐｇ’を読み出す。ここで、オーディオ読み出し制御５２ａ、及び映像読み出し制御５２ｄは、それぞれ内蔵する図示しないタイマーによって開始時間１分１５秒及び終了時間３分２３秒のカウントを開始する。
【００３４】
第２の実施の形態と同様に、上記開始時間が経過するまではオーディオ読み出し制御５２ａ及び映像読み出し制御５２ｄからオーディオデコーダ５３及び映像デコーダ５６へ読み取り信号が出力されない。そして、上記開始時間経過後から上記終了時間までの間、オーディオ読み出し制御５２ａ及び映像読み出し制御５２ｄによってマルチメディアファイル‘Ｍｏｖｉｅ３．ｍｐｇ’から読み出されたオーディオデータ及び映像データは、オーディオデコーダ５３及び映像のデコーダ５３で復号され、ボリューム調整機構５４及びフェーダー調整機構５７を介して、スピーカ５５及び表示画面５８から再生される。
【００３５】
この時、ボリューム調整機構５４及びフェーダー調整機構５７では、それぞれ、プレイリスト５１に基づいてオーディオボリューム制御５２ｃ及び映像フェーダー制御５２ｆから出力されるフェイドイン信号によって再生を開始した１分１５秒から５秒間はフェイドイン効果処理された信号が出力される。即ち、フェイドインした５秒間は音が徐々に高くなり、映像画面が徐々に明るくなる再生が行われる。また、終了時間（３分２３秒）の３秒前になるとボリューム調整機構５４及びフェーダー調整機構５６では、オーディオボリューム制御５２ｃ及び映像フェーダー制御５２ｆからのフェイドアウト信号によって３秒間はフェイドアウト効果処理が行われ、音が徐々に低くなり、映像画面が徐々に暗くなる再生がスピーカ５５及び表示画面５８から行われる。その後、無音時間の２秒間は、スピーカ５５は無音状態となり、また表示画面５８は無画面状態となって終了する。他のマルチメディアファイル‘Ｍｏｖｉｅ５．ｍｐｇ’‘Ｍｏｖｉｅ２．ｍｐｇ’も同様に処理されるが、その説明は省略する。
【００３６】
このようにして、第３の実施の形態によれば、マルチメディアファイル間にフェイドイン時間とフェイドアウト時間、更に無音及び無画面時間を設定し、所望の再生順序で再生することができる。
【００３７】
したがって、マルチメディアファイル間は不連続な接続とならないため、異音や画面の乱れ等が発生することを抑止することができる。視聴者は、各マルチメディアファイルの再生後に挿入されているフェイドアウト時間とフェイドイン時間、及び無音及び無画面時間によって、その余韻を楽しむことができるため、一つのファイルの再生を十分に楽しむことができる。また、プレイリストは、ファイル容量が小さく、所望の再生方法を記憶したプレイリストを数多く用意することができるため、オリジナルに作成した光ディスクを所望の様々な再生方法で再生することができる。
【００３８】
図８は、第３の実施の形態の変形例を示すもので、図６の再生システムにタイマー機能付きオーディオデコーダ制御５２ｂ、タイマー機能付き映像デコーダ制御５２ｅが追加された構成である。また、プレイリスト５１には、無音時間及び無画面時間が設定される。オーディオデコーダ５２ｂによるオーディオデコーダ５３の復号及び無音制御は図３で説明したものと同じであるのでその説明は省略する。
【００３９】
一方、映像デコーダ制御５２ｅはプレイリスト５１に基づき映像デコーダ５６の復号と無画面処理を制御するもので、マルチメディアファイルの復号処理が行われた後、無画面処理が映像デコーダ５６で行われ、フェーダー調整機構５７を介して表示画面５８から再生される。その他の構成は図６と同じであるので、その説明は省略する。
【００４０】
なお、光ディスクは、ＣＤ−Ｒ、ＣＤ−ＲＷ、ＤＶＤ等のオーディオファイルを記憶可能な情報媒体であれば、何でもよい。また、各読み出し制御等のタイマー機能は、ハード的なタイマー装置であっても、ソフトウェアで計数するタイマーのいずれであっても良い。
【００４１】
以上、第１乃至第３の実施の形態について説明したが、これらを種々組み合わせて実施してもよい。例えば、第１の実施の形態では、ファイルを最初から最後までそのまま再生する例を記載したが、図９（ａ）に示すように、再生開始時間及び再生終了時間を挿入したプレイリストを作成し、再生を行うことも可能である。第２の実施の形態では、フェイドイン時間及びフェイドアウト時間を付加した例を記載したが、図９（ｂ）に示すように、さらに無音時間をファイルの再生前または再生後に挿入したプレイリストを作成し、再生を行うことも可能である。第３の実施の形態では、マルチメディア対応の光ディスクを再生する時に、再生開始時間及び再生終了時間、フェイドイン時間及びフェイドアウト時間、無音時間を付加して再生した例を記載したが、これに限定されず、任意の条件を選択してプレイリストを作成し、再生を行うことも可能である。
【００４２】
【発明の効果】
以上詳述したように、本発明によれば、プレイリストに基づいたファイルの再生において、ファイル間が不連続な接続となり、異音等が発生することを抑止することができる。
【図面の簡単な説明】
【図１】本発明の第１の実施の形態に係る光ディスクの再生装置の再生システムを示す図である。
【図２】本発明の第１の実施の形態に係るプレイリストの例を示す図である。
【図３】本発明の第１の実施の形態に係る再生システムの変形例を示す図である。
【図４】本発明の第２の実施の形態に係る光ディスクの再生装置の再生システムを示す図である。
【図５】本発明の第２の実施の形態に係るプレイリストの例を示す図である。
【図６】本発明の第３の実施の形態に係る光ディスクの再生装置の再生システムを示す図である。
【図７】本発明の第３の実施の形態に係るプレイリストの例を示す図である。
【図８】本発明の第３の実施の形態に係る再生システムの変形例を示す図である。
【図９】本発明の第１乃至第３の実施の形態に係るプレイリストの他の例を示す図である。
【図１０】従来の光ディスクの再生装置の再生システムを示す図である。
【図１１】従来の再生システムに用いられるプレイリストの例を示す図である。
【符号の説明】
１０，３０，５０  光ディスク
１１，３１，５１  プレイリスト
１２，３２，５２  コントローラ部
１２ａ，３２ａ  読み出し制御
１２ｂ，３２ｂ  デコーダ制御
１２ｃ，３２ｃ  ボリューム制御
１３，３３  デコーダ
１４，３４  ボリューム調整機構
１５，３５，５５  スピーカ
５２ａ  オーディオ読み出し制御
５２ｂ  オーディオデコーダ制御
５２ｃ  オーディオボリューム制御
５２ｄ  映像読み出し制御
５２ｅ  映像デコーダ制御
５２ｆ  映像フェーダー制御
５３  オーディオデコーダ
５４  オーディオボリューム調整機構
５６  映像デコーダ
５７  映像フェーダー調整機構
５８  表示画面
【図１】
2005018874.tif 000003
【図２】
2005018874.tif 000004
【図３】
2005018874.tif 000005
【図４】
2005018874.tif 000006
【図５】
2005018874.tif 000007
【図６】
2005018874.tif 000008
【図７】
2005018874.tif 000009
【図８】
2005018874.tif 000010
【図９】
2005018874.tif 000011
【図１０】
2005018874.tif 000012
【図１１】
2005018874.tif 000013